(57)【要約】 【課題】汎用性が高く、準備や取り扱いが簡単で、安全かつ容易に血液凝集物等の捕集を行うことのできる血栓捕集器具を提供する。【解決手段】血栓捕集器具１において、本体１０を、円形状の上開口１１と、上開口１１より小径の円形状の下開口１２とを有し、上開口１１から下開口１２に向かって徐々に小径となる逆截頭円錐体形状とする。本体内部空間１３の下開口１２近傍に濾過フィルタ２０を設置し、本体の内部に注入された血液を濾過し凝集成分を濾別し捕集する。必要に応じて、仕切り部３０により本体１０の内部空間１３を、第１〜第４濾過区域３１〜３４に仕切る。本体１０底面には血液排出溝４１を設けた脚部４０を配し、血栓捕集器具１を平面上に載置しても使用できるようにする。【選択図】    図１
2014195558.tif 000002
【特許請求の範囲】
【請求項１】
円形状の上開口と、前記上開口より小径の円形状の下開口とを有し、前記上開口から前記下開口に向かって徐々に小径となる逆截頭円錐体形状の本体と、
前記本体の内部の前記下開口近傍に設置され、前記本体の内部に注入された血液を濾過し凝集成分を濾別し捕集する濾過フィルタとを有する血栓捕集器具。
【請求項２】
前記本体の前記上開口部分の外径は８０ｍｍ以上であり、前記本体の前記下開口部分の外径は４０ｍｍ以下であることを特徴とする請求項１に記載の血栓捕集器具。
【請求項３】
前記本体の内部の前記濾過フィルタの上部を、各々独立して前記血液の濾過を行うことができる複数の区域に仕切る仕切り部をさらに有することを特徴とする請求項１又は２に記載の血栓捕集器具。
【請求項４】
前記下開口の下部に脚部が形成されていることを特徴とする請求項１〜３のいずれかに記載の血栓捕集器具。
【請求項５】
前記脚部には、前記濾過フィルタを透過し前記下開口から排出される前記血液を逃し排出する溝が形成されていることを特徴とする請求項４に記載の血栓捕集器具。
【発明の詳細な説明】
【技術分野】
【０００１】
本発明は、血栓吸引カテーテル等により吸引した血液を濾過し、血栓等の凝集物を捕集する血栓捕集器具に関する。
【背景技術】
【０００２】
例えば冠動脈に広範に血栓が生じている心筋梗塞の症例においては、血栓吸引カテーテルを用いて血栓を吸引し除去する治療法が有効である。血栓吸引カテーテルを用いた場合、治療内容を記録するため、あるいは、その後の診断や治療に使用するため、吸引した血液中から血栓等の凝集物を捕集し、大きさや性状等を確認する場合がある。そのためには、吸引した血液を濾過し、凝集物を捕集する必要がある。
【０００３】
従来、この種の濾過器具としては、例えば図５に示すような血液濾過器具９０が知られている（特許文献１参照）。図５に示す血液濾過器具９０は、円筒状の本体９１と、本体９１の上縁の対向する２箇所から外方向に水平に延伸した一対の係止部９２と、本体９１の底面９３に設けられたフィルタ９４とを有する。血液濾過器具９０においては、係止部９２をビーカー等の容器の縁に載置し、本体９１の内部収容空間９５に吸引した血液を注入することにより、血液が濾過され、フィルタ９４上に血栓等の血液の凝集物が濾別される。なお、血液濾過器具９０においては、図示しないが、底面９３の周縁部にスケールが形成されており、凝集物が血液濾過器具９０の内部９５に収容された状態で、おおよその大きさなどを計測できる構成となっている。
【先行技術文献】
【特許文献】
【０００４】
【特許文献１】登録実用新案公報第３１３０７１１号
【発明の概要】
【発明が解決しようとする課題】
【０００５】
しかしながら、図５に示した血液濾過器具９０のような従来のこの種の器具においては、一緒に使用するビーカー等の受け容器のサイズ、すなわち血液濾過器具９０を載置し濾過した血液を収容するビーカーのサイズがほぼ決まっており、血液濾過器具９０を使用する際には、予めサイズが適合したビーカーを用意しておく必要があった。具体的には、例えば図５に示す血液濾過器具９０においては、対向配置された一対の係止部９２の外側端部間の長さより内径の大きいビーカーは、両方の係止部９２を同時にビーカーの上縁に載置することができないので使用できず、また、内径が係止部９２の外側端部間の長さより小さいビーカーであっても、例えば内径が小さ過ぎると、図６（Ａ）に示すように本体９１がビーカー８３の内側に配置できない状態となり、濾過した血液がビーカー８３の外に流出する危険性があり使用できない。
【０００６】
また、血液濾過器具９０のような従来の器具においては、サイズが適合したビーカーを使用する場合であっても、すなわち、係止部９２の外側端部間の長さより内径が小さく本体９１の外径よりも内径が大きいビーカーを使用する場合であっても、血液濾過器具９０がビーカーの中央に配置されない場合には、図６（Ｂ）に示すように血液濾過器具９０が傾斜して配置されてしまう可能性があり、この場合も、濾過した血液がビーカー８４の外に流出したり、あるいは、血液濾過器具９０の本体９１の上部の開口から注入した吸引血液が溢れてビーカー８４の外あるいは中に流出する危険性がある。従って、血液濾過器具９０においては、サイズが適合したビーカー８４であっても、血液濾過器具９０をビーカー８４の中心となるように注意深く載置しなければならない。
【０００７】
さらに、血液濾過器具９０のような従来の器具においては、血液濾過器具９０をビーカーに適切に載置したとしても、例えば作業者が血液濾過器具９０に接触したり、振動があったりすると、血液濾過器具９０がビーカーの中心からずれ、一方の係止部９２がビーカーの縁から外れて、図６（Ｃ）に示すようにビーカー８４の内部に落下する危険性がある。従って、一度適正に血液濾過器具９０をビーカー８４上に適切にセットした後も、吸引した血液の濾過作業を慎重に行わなければならない。
【０００８】
このように、従来のこの種の器具においては、一緒に使用するビーカーとして適切なサイズのビーカーを用意する必要がある上に、仮にサイズが適合したビーカーを使用する場合であっても、ビーカーへの器具の設置を注意深く行わなければならず、さらに、血液濾過器具９０をビーカーに適切に載置した後も、その後の作業を慎重に行わなければならず、取り扱いが難しく作業性も良好ではなかった。
【０００９】
本発明は、このような課題を解決するためになされたものであって、その目的は、一緒に使用するビーカー等の受け容器の選択性、汎用性が高く、すなわち、より多くの種類のビーカー等を血液の受け容器として使用することができ、使用に際しての準備や取り扱いが簡単で、実際に使用する段階においても容器内への落下等の事故の危険性を排除することができるような、すなわち、安全かつ容易に血液凝集物等の捕集を行うことのできる血栓捕集器具を提供することにある。
【課題を解決するための手段】
【００１０】
前記課題を解決するために、本発明の血栓捕集器具は、円形状の上開口と、前記上開口より小径の円形状の下開口とを有し、前記上開口から前記下開口に向かって徐々に小径となる逆截頭円錐体形状の本体と、前記本体の内部の前記下開口近傍に設置され、前記本体の内部に注入された血液を濾過し凝集成分を濾別し捕集する濾過フィルタとを有するものである。
【００１１】
好適には、前記本体の前記上開口部分の外径は８０ｍｍ以上であり、前記本体の前記下開口部分の外径は４０ｍｍ以下であることを特徴とする。
【００１２】
また好適には、前記本体の内部の前記濾過フィルタの上部を、各々独立して前記血液の濾過を行うことができる複数の区域に仕切る仕切り部をさらに有する。
【００１３】
また好適には、前記下開口の下部に脚部が形成されていることを特徴とする。
【００１４】
また好適には、前記脚部には、前記濾過フィルタを透過し前記下開口から排出される前記血液を逃し排出する溝が形成されていることを特徴とする。
【発明の効果】
【００１５】
本発明によれば、汎用性が高く、使用に際しての準備や取り扱いが簡単で、実際に使用する段階において安全かつ容易に血液凝集物等の捕集を行うことのできる血栓捕集器具を提供することができる。
【図面の簡単な説明】
【００１６】
【図１】図１は、本発明の一実施形態の血栓捕集器具の構成を示す斜視図である。
【図２】図２は、図１に示した血栓捕集器具の本体の構成を示す斜視図である。
【図３】図３は、図１に示した血栓捕集器具の本体の構成を示す図であり、図３（Ａ）は上面図、図３（Ｂ）は側面図、図３（Ｃ）は底面図である。
【図４】図４は、図１に示す血栓捕集器具の使用状態を示す図であり、図４（Ａ）は比較的大きなビーカーとともに用いる状態を示す図であり、図４（Ｂ）は比較的小さなビーカーとともに用いる状態を示す図である。
【図５】図５は、従来の血液濾過器具を示す斜視図である。
【図６】図６は、図５に示す従来の血液濾過器具の使用時の課題を説明するための図であり、図６（Ａ）はビーカーが小さ過ぎた状態を示す図であり、図６（Ｂ）は血液濾過器具が傾斜してビーカーに載置された状態を示す図であり、図６（Ｃ）は血液濾過器具がビーカー内に落下した状態を示す図である。
【発明を実施するための形態】
【００１７】
本発明の一実施形態について図１〜図４を参照して説明する。
まず、図１〜図３を参照して、本実施形態の血栓捕集器具の構成について説明する。
図１は、本実施形態の血栓捕集器具１の構成を示す斜視図であり、図２及び図３（Ａ）〜図３（Ｃ）は、血栓捕集器具１の本体１０の構成を示す斜視図、上面図、側面図及び底面図である。
図１、図２及び図３（Ａ）〜図３（Ｃ）に示すように、血栓捕集器具１は、本体１０、濾過フィルタ２０、仕切り部３０及び脚部４０を有する。
【００１８】
本体１０は、截頭円錐体（円錐体の頭部を底面と平行な面で切り取ったときの残りの部分）形状の外形及び内部空間を有する部材を上下反対に配置した逆截頭円錐体形状の部材であり、大径の上面は上開口１１として形成され、小径の底面が下開口１２として形成されたものである。従って、本体１０の外側側面１４は、上開口１１の部分から下開口１２の部分に向かって、すなわち下方向に向かって徐々に小径になるテーパ面に形成されている。
【００１９】
なお、上開口１１は、吸引血液が注入される注入口であり、下開口１２は、濾過された血液が排出される排出口である。本体１０は、例えばポリプロピレン、ポリエチレン、ポリカーボネイトあるいはＡＢＳ等の任意の合成樹脂により形成される。本体１０は、上開口１１における外径が８０ｍｍ以上で、下開口１２における外径が４０ｍｍ以下となるように形成される。また、上開口１１における外径の上限値は、特に限定されないが、３００ｍｍ以下であることが好ましい。また、下開口１２における外径の下限値は、特に限定されないが、１５ｍｍ以上であることが好ましい。
【００２０】
本体１０の内側のすり鉢状の内部空間１３の中間部分には、所定の高さを有し、平面形状が図示のごとく十字形状の仕切り部３０が設置されている。仕切り部３０は、本体１０の内部空間１３を均等な４つの濾過区域（第１〜第４濾過区域）３１〜３４に仕切る。仕切り部３０も、本体１０と同じく、例えばポリプロピレン、ポリエチレン、ポリカーボネイトあるいはＡＢＳ等の任意の合成樹脂製である。仕切り部３０は、本体１０に対して後から接着等により設置するようにしてもよいし、本体１０と一体的に成形されるものであってもよい。
【００２１】
本体１０の内側の内部空間１３の下開口１２近くの位置であって、仕切り部３０の下面の位置には、濾過フィルタ２０が設置されている。濾過フィルタ２０は、本体１０の内壁面及び仕切り部３０の下面に対して隙間が生じないように、密着して設置されている。濾過フィルタ２０は、吸引血液から血液の凝集物を濾別するための網状部材である。濾過フィルタ２０は、例えばナイロン、ポリエチレン、ポリプロピレン、ポリエチレンテレフタレート等の合成樹脂製であり、網目幅が数十μｍ程度の網状部材である。なお網目幅は、濾別対象の血栓の特性（血栓の大きさ、血液及び血栓の粘度等）に応じて所望の幅のものを選択してよい。また、濾過フィルタ２０の材料も、必要に応じて任意の材質のものを用いてよい。
【００２２】
本体１０の底部、すなわち下開口１２の下部には、脚部４０が形成されている。脚部４０は、血栓捕集器具１を直接バット、トレーあるいはシンク等に載置する場合にその支持部となる部分である。脚部４０は、例えば本実施形態のように、すなわち図３（Ｂ）に示すように、逆截頭円錐体の本体１０の底部分であって本体１０に連続する部分を脚部４０として規定してもよいし、図示しないが、例えば薄厚の環状の部材（すなわち薄い筒状の部材）を、開口部分が本体１０の下開口１２と連通するように別途形成して脚部４０としてもよい。後者の場合、脚部４０は、別部材として形成して本体１０に対して後から接着等により設置するようにしてもよいし、本体１０と一体的に成形されるものであってもよい。脚部４０も、本体１０と同じく、例えばポリプロピレン、ポリエチレン、ポリカーボネイトあるいはＡＢＳ等の任意の合成樹脂製である。
【００２３】
脚部４０には、図２及び図３（Ｂ），図３（Ｃ）に示すように、血液排出溝４１が形成されている。血液排出溝４１は、血栓捕集器具１を直接バット、トレーあるいはシンク等に載置した場合に、濾過フィルタ２０により濾過され下開口１２より流出される濾過血液を血栓捕集器具１の外部に流出させる流路を形成するための開口である。血液排出溝４１は、図示のごとく脚部４０に４箇所等配に形成されるのが好ましいが、その配置や数は任意でよい。
【００２４】
次に、血栓捕集器具１の使用形態について、さらに図４を参照して説明する。
図４は、血栓捕集器具１の使用形態を示す図である。
血栓捕集器具１を用いて吸引血液から血栓等を濾別する場合、まず、血栓捕集器具１をビーカー等の容器に載置する。前述したように血栓捕集器具１は、逆截頭円錐体形状の本体１０を有しており、外側側面１４は、上開口１１から下開口１２に向かって徐々に小径になる、すなわち下方向に向かって徐々に小径になるテーパ面に形成されている。従って、上開口１１の外径よりも小さく下開口１２の外径よりも大きい内径を有するビーカーであれば、任意のビーカーに対して血栓捕集器具１を適切に載置することができる。
【００２５】
例えば、内径が本体１０の上開口１１の部分の外径に近い程度の大型のビーカー８１は、図４（Ａ）に示すように、血栓捕集器具１の上開口１１に近い大径部分が、ビーカー８１の上部開口に接するような形態で、ビーカー８１上に載置される。また、内径が本体１０の下開口１２の部分の外径に近い程度の小型のビーカー８２は、図４（Ｂ）に示すように、血栓捕集器具１の下開口１２に近い小径部分が、ビーカー８２の上部開口に接するような形態で、ビーカー８２上に載置される。このいずれの場合においても、血栓捕集器具１の下開口１２は適切にビーカー８１，８２の内部収容空間に向かって開口しており、吸引血液を濾過した後の濾過血液は、適切にビーカー８１，８２の中に収容される。
【００２６】
ビーカー８１，８２上に血栓捕集器具１を載置したら、以後は、吸引した血液を血栓捕集器具１の内部空間１３の第１〜第４濾過区域３１〜３４のいずれかに注入する。その結果、凝集していない通常の血液は濾過フィルタ２０により濾過され、下開口１２を通過してビーカー８１，８２の内部に落下し収容される。また、血栓等の凝集物があった場合には、本体１０の内部空間１３の第１〜第４濾過区域３１〜３４内に濾別される。なお、血栓捕集器具１は、内部空間１３が仕切り部３０により第１〜第４濾過区域３１〜３４の４つの区域に仕切られているので、例えば、血栓吸引カテーテルで冠動脈内の吸引を２〜４回行う場合において、各回で採取される血液を異なる区域で濾過することにより、各回で採取される血栓等の凝集物の量を把握することができる。これにより、例えば、血栓等の凝集物が採取されなくなる回を把握することが容易になり、治療を終了すべき時点を適切に決定することが容易となる。
【００２７】
このように、本実施形態の血栓捕集器具１においては、内径が血栓捕集器具１の上開口１１の部分の外径に近い大型のビーカー８１から、内径が血栓捕集器具１の下開口１２の部分の外径に近い小型のビーカー８２まで、任意のサイズのビーカーを用いて血液の濾過、血栓の捕集を行うことができる。したがって、一緒に使用するビーカー等の容器の選択性、汎用性が高く、多数の種類のビーカーを受け容器として一緒に使用することができる。
【００２８】
そして、どのサイズのビーカーを用いたとしても、逆截頭円錐体形状の外形を有する血栓捕集器具１は、例えば図４（Ａ）、図４（Ｂ）に示すような配置が最も安定してビーカー８１，８２に載置された状態であり、また、この状態が最も適切な載置状態である。従って、仮に血栓捕集器具１のビーカー８１，８２への載置の際に中心がずれたとしても、血栓捕集器具１が大きく傾斜するような状態にはなりにくく、また、内部空間１３がビーカーの上部開口からはみ出るようなさらに大きなずれは、ほぼ確実に生じ得ない。従って、血栓捕集器具１は、使用に際しての準備や取り扱いが容易で、効率よく吸引血液からの血栓の捕集が行える。
【００２９】
また、実際に使用する段階においても、仮に血栓捕集器具１のビーカー８１，８２への載置の際に中心がずれたとしても、その後何らかの力が作用することにより、あるいは振動等により、血栓捕集器具１が移動するとすれば図４（Ａ）あるいは図４（Ｂ）に示すような安定した適切な状態への移動となる。そして、血栓捕集器具１がどのようにずれて配置されようと、血栓捕集器具１に対してどのような力が作用しようと、血栓捕集器具１がビーカー８１，８２の中に落下する事態は完全に起こり得ない。従って、血栓捕集器具１は、実際に使用する段階においても、その取り扱いが極めて容易で、また極めて安全に取り扱うことができ、安全かつ容易で効率よく吸引血液からの血栓の捕集が行える。
【００３０】
また、図示しないが、血栓捕集器具１は血液排出溝４１を設けた脚部４０を有するので、ビーカー等の受け容器を使用せずとも、直接、バット、トレーあるいはシンク等に載置して使用することができる。従って、血栓捕集器具１は、汎用性が高く、血栓の捕集という行為を容易な作業で安全に効率よく行うことができる。
【００３１】
なお、本発明は、前述した実施形態に限定されるものではなく、本発明の範囲内で種々に改変することができる。
【００３２】
例えば、前述した実施形態においては、血栓捕集器具１の本体１０、仕切り部３０及び脚部４０は合成樹脂製としたが、これに限られるものではない。血液と反応しない、あるいは、血液を汚染しない材料であれば任意の材料で製造してよい。
【００３３】
また、前述した実施形態においては、仕切り部３０は、平面形状が十字形状であり本体１０の内部空間１３を４つの濾過区域３１〜３４に仕切るものとしたが、その仕切り方はこれに限られるものではない。本体１０の内部空間１３を２つ、３つあるいは５つ以上に仕切るようにしてもよい。また、いずれの場合も、仕切られた各濾過区域の大きさが均等である必要はなく、大きな区域や小さな区域が混在するような仕切り方であってもよい。
【００３４】
また、本実施形態の血栓捕集器具１において、その高さは特に規定していないが、適用対象のビーカーのサイズ、血栓捕集器具１の本体１０の内部空間１３の容量、仕切り部３０により仕切った各濾過区域の容量等に応じて任意に決定してよい。またこれに関連して、血栓捕集器具１の本体１の外側側面１４の傾斜角度も任意に決定してよいが、例えば、水平面（血栓捕集器具１の上開口１１あるいは下開口１２の開口面）に対して３０〜６０°傾斜する構成が最も安定的で好ましい。
【符号の説明】
【００３５】
１…血栓捕集器具
１０…本体
１１…上開口
１２…下開口
１３…内部空間
１４…外側側面
２０…濾過フィルタ
３０…仕切り部
３１〜３４…第１〜第４濾過区域
４０…脚部
４１…血液排出溝
８１〜８４…ビーカー
９０…従来の血液濾過器具
９１…本体
９２…係止部
９３…本体底面
９４…フィルタ
９５…血液濾過器具の内部
【図１】
2014195558.tif 000003
【図２】
2014195558.tif 000004
【図３】
2014195558.tif 000005
【図４】
2014195558.tif 000006
【図５】
2014195558.tif 000007
【図６】
2014195558.tif 000008